(57)【要約】【課題】入力画像と画質情報画像とを異なる表示領域に表示することができる表示装置において、ユーザが画質情報画像を確認しながら画質情報画像に関わる操作を入力しやすくする。【解決手段】表示手段による画像表示を制御する表示制御装置であって、前記表示手段の画面内の異なる位置に、第１画像を表示する第１表示領域と、第２画像を表示する第２表示領域と、を設定する制御手段と、前記表示手段に所定の情報表示を行う情報表示手段と、を備え、前記制御手段は、前記情報表示が行われる情報表示領域と前記第２表示領域とが重複する場合、前記第１表示領域と異なる位置に前記情報表示領域と重複しない第３表示領域を設定し、前記第２画像を表示する領域を前記第３表示領域に変更することを特徴とする表示制御装置。【選択図】図１
2018010177.tif 000002
【特許請求の範囲】
【請求項１】
表示手段による画像表示を制御する表示制御装置であって、
前記表示手段の画面内の異なる位置に、第１画像を表示する第１表示領域と、第２画像を表示する第２表示領域と、を設定する制御手段と、
前記表示手段に所定の情報表示を行う情報表示手段と、
を備え、
前記制御手段は、前記情報表示が行われる情報表示領域と前記第２表示領域とが重複する場合、前記第１表示領域と異なる位置に前記情報表示領域と重複しない第３表示領域を設定し、前記第２画像を表示する領域を前記第３表示領域に変更することを特徴とする表示制御装置。
【請求項２】
前記第２画像は、前記第１画像に関する画質情報を示す画像である請求項１に記載の表示制御装置。
【請求項３】
前記第２画像は、ヒストグラム、ベクトルスコープ、波形モニタ、合焦位置を示すピーキング表示、又は輝度分布を示すゼブラ表示である請求項２に記載の表示制御装置。
【請求項４】
前記所定の情報表示は、ユーザ操作を支援するグラフィカルユーザインタフェースの表示である請求項１〜３のいずれか１項に記載の表示制御装置。
【請求項５】
前記グラフィカルユーザインタフェースは、前記第２画像の表示に関するユーザ操作を支援するグラフィカルユーザインタフェースである請求項４に記載の表示制御装置。
【請求項６】
前記情報表示手段は、前記表示手段の画面内で前記第１表示領域から最も離れた位置に前記情報表示領域を設定する請求項１〜５のいずれか１項に記載の表示制御装置。
【請求項７】
前記制御手段は、前記第１表示領域に隣接する位置に前記第３表示領域を設定する請求項１〜６のいずれか１項に記載の表示制御装置。
【請求項８】
請求項１〜７のいずれか１項に記載の表示制御装置と、
前記表示制御装置により表示が制御される表示手段と、
を備える表示装置。
【請求項９】
表示手段による画像表示を制御する表示制御方法であって、
前記表示手段の画面内の異なる位置に、第１画像を表示する第１表示領域と、第２画像を表示する第２表示領域と、を設定する制御工程と、
前記表示手段に所定の情報表示を行う情報表示工程と、
前記情報表示が行われる情報表示領域と前記第２表示領域とが重複する場合、前記第１表示領域と異なる位置に前記情報表示領域と重複しない第３表示領域を設定し、前記第２画像を表示する領域を前記第３表示領域に変更する変更工程と
を有することを特徴とする表示制御方法。
【請求項１０】
前記第２画像は、前記第１画像に関する画質情報を示す画像である請求項９に記載の表示制御方法。
【請求項１１】
前記第２画像は、ヒストグラム、ベクトルスコープ、波形モニタ、合焦位置を示すピーキング表示、又は輝度分布を示すゼブラ表示である請求項１０に記載の表示制御方法。
【請求項１２】
前記所定の情報表示は、ユーザ操作を支援するグラフィカルユーザインタフェースの表
示である請求項９〜１１のいずれか１項に記載の表示制御方法。
【請求項１３】
前記グラフィカルユーザインタフェースは、前記第２画像の表示に関するユーザ操作を支援するグラフィカルユーザインタフェースである請求項１２に記載の表示制御方法。
【請求項１４】
前記情報表示工程では、前記表示手段の画面内で前記第１表示領域から最も離れた位置に前記情報表示領域を設定する請求項９〜１３のいずれか１項に記載の表示制御方法。
【請求項１５】
前記変更工程では、前記第１表示領域に隣接する位置に前記第３表示領域を設定する請求項９〜１４のいずれか１項に記載の表示制御方法。
【請求項１６】
コンピュータに、表示手段による画像表示を制御する表示制御方法の各工程を実行させるプログラムであって、前記表示制御方法は、
表示手段の画面内の異なる位置に、第１画像を表示する第１表示領域と、第２画像を表示する第２表示領域と、を設定する制御工程と、
前記表示手段に所定の情報表示を行う情報表示工程と、
前記情報表示が行われる情報表示領域と前記第２表示領域とが重複する場合、前記第１表示領域と異なる位置に前記情報表示領域と重複しない第３表示領域を設定し、前記第２画像を表示する領域を前記第３表示領域に変更する変更工程と
を有することを特徴とするプログラム。
【発明の詳細な説明】
【技術分野】
【０００１】
本発明は、表示制御装置及び表示制御方法に関するものである。
【背景技術】
【０００２】
表示装置の表示領域を複数の領域に分割し異なる画像を表示する技術がある。例えば、撮像装置による撮像画像を表示装置へ入力し、露出、フォーカス、波形等の画質情報を示す画質情報画像を撮像画像とともに１画面内に分割表示することにより、効率的に撮像画像の画質を確認することができる。画質情報画像を表示する機能を有する表示装置では、画質情報表示に対しユーザがパラメータ設定等の操作を行うことができるものがある。表示装置は、メニューのようなＧＵＩ（Graphical User Interface）をＯＳＤ（On-Screen Display）表示してこのようなユーザ操作を支援する機能を有するものがある。画質情報
画像によりユーザが入力画像の画質情報を確認しやすくするため、適切な位置に画質情報画像を表示することが望ましい。
【０００３】
ＯＳＤによるＧＵＩの表示位置を制御する技術として、特許文献１には、例えばシャープネスを調整するためのＧＵＩを、入力画像のうちエッジ検出点数が少ないエリアに表示する技術が開示されている。また、特許文献１は、ＧＵＩを表示するための複数の候補位置のうち、ユーザ操作入力回数が閾値より多くなった候補位置に優先的にＧＵＩを表示する技術を開示している。
【先行技術文献】
【特許文献】
【０００４】
【特許文献１】特開２０１２−６３５８３号公報
【発明の概要】
【発明が解決しようとする課題】
【０００５】
上記の従来技術は、入力画像の特徴に適応的にＧＵＩの表示位置を制御する技術であるため、必ずしもユーザの意図に合致した位置にＧＵＩが表示されるとは限らない。また、入力画像と画質情報画像とを１画面内で分割表示するような表示態様においてＧＵＩや画質情報画像をどのように表示するかについて言及していない。
【０００６】
そこで、本発明は、入力画像と画質情報画像とを１画面内で分割表示する表示制御において、ユーザが画質情報画像を確認しながら画質情報画像に関わる操作を入力しやすくする技術を提供することを目的とする。
【課題を解決するための手段】
【０００７】
本発明は、表示手段による画像表示を制御する表示制御装置であって、
前記表示手段の画面内の異なる位置に、第１画像を表示する第１表示領域と、第２画像を表示する第２表示領域と、を設定する制御手段と、
前記表示手段に所定の情報表示を行う情報表示手段と、
を備え、
前記制御手段は、前記情報表示が行われる情報表示領域と前記第２表示領域とが重複する場合、前記第１表示領域と異なる位置に前記情報表示領域と重複しない第３表示領域を設定し、前記第２画像を表示する領域を前記第３表示領域に変更することを特徴とする表示制御装置である。
【０００８】
本発明は、表示手段による画像表示を制御する表示制御方法であって、
前記表示手段の画面内の異なる位置に、第１画像を表示する第１表示領域と、第２画像を表示する第２表示領域と、を設定する制御工程と、
前記表示手段に所定の情報表示を行う情報表示工程と、
前記情報表示が行われる情報表示領域と前記第２表示領域とが重複する場合、前記第１表示領域と異なる位置に前記情報表示領域と重複しない第３表示領域を設定し、前記第２画像を表示する領域を前記第３表示領域に変更する変更工程と
を有することを特徴とする表示制御方法である。
【０００９】
本発明は、コンピュータに、表示手段による画像表示を制御する表示制御方法の各工程を実行させるプログラムであって、前記表示制御方法は、
表示手段の画面内の異なる位置に、第１画像を表示する第１表示領域と、第２画像を表示する第２表示領域と、を設定する制御工程と、
前記表示手段に所定の情報表示を行う情報表示工程と、
前記情報表示が行われる情報表示領域と前記第２表示領域とが重複する場合、前記第１表示領域と異なる位置に前記情報表示領域と重複しない第３表示領域を設定し、前記第２画像を表示する領域を前記第３表示領域に変更する変更工程と
を有することを特徴とするプログラムである。
【発明の効果】
【００１０】
本発明により、入力画像と画質情報画像とを異なる表示領域に表示することができる表示装置において、ユーザが画質情報画像を確認しながら画質情報画像に関わる操作を入力しやすくすることができる。
【図面の簡単な説明】
【００１１】
【図１】実施例１の表示制御装置の構成を示すブロック図
【図２】実施例１の表示領域を４分割した例を示す図
【図３】実施例１の表示領域に割り当てられた画質情報画像の一例を示す図
【図４】実施例１の処理を示すフローチャート
【図５】実施例１の画質情報画像の表示領域の変更例を示す図
【図６】実施例１の画質情報画像の表示領域の変更例を示す図
【図７】実施例１の表示領域を５分割した例を示す図
【発明を実施するための形態】
【００１２】
（実施例１）
図１は、実施例１の表示制御装置１の構成を示すブロック図である。表示制御装置１は、表示装置２による画像表示を制御する装置であり、画質情報処理部１００、表示制御部１０１、制御部１０２、操作部１０３を有する。表示制御装置１は、表示装置２の表示領域を複数の領域に分割し、各分割領域に入力画像に基づく画像や入力画像に関する画質情報を示す画質情報画像が表示されるように、表示装置２の表示を制御する。なお、表示制御装置１と表示装置２とは別体構成であっても良いし、一体構成であっても良い。一体構成の場合、表示制御装置１の機能を有する表示装置が本発明の一実施形態ということになる。
【００１３】
画質情報処理部１００は、入力画像に関する画質情報を示す画質情報画像を生成し、表示制御部１０１に出力する。画質情報画像により表示される画質情報としては、ヒストグラム、ベクトルスコープ、信号レベルをグラフ化した波形モニタ、フォーカス確認のための合焦位置を示すピーキング表示、露出確認のための輝度分布を示すゼブラ表示等を例示できる。
画質情報処理部１００は、例えば、フォーカス確認用のピーキング表示のために、入力画像内の輪郭（エッジ）を検出し、検出した輪郭部分に着色する処理を行い、フォーカス
が合っている部分を視覚化する。また、露出確認用のゼブラ表示のために、入力画像の輝度を抽出し、輝度レベルに応じた模様や色で画素を着色し視覚化する。
【００１４】
表示制御部１０１は、表示装置２の画面内の異なる位置に、第１画像を表示する第１表示領域と、第２画像を表示する第２表示領域と、を設定する。実施例１では、第１画像は入力画像であり、第２画像は、画質情報処理部１００により生成される、入力画像の画質に関する画質情報を示す画質情報画像である。このようにして表示制御部１０１は、画質情報処理部１００から出力された画質情報画像と入力画像を表示する表示領域の制御を行う。表示制御部１０１は、表示装置２の表示領域の全体に入力画像を表示するモードと、複数の表示領域に分割して入力画像と画質情報画像とを表示するモードとを、ユーザの指示に応じて切り替える制御を行う。
【００１５】
表示制御部１０１は、また、所定の情報表示が行われる情報表示領域と第２表示領域とが重複する場合、第１表示領域と異なる位置に情報表示領域と重複しない第３表示領域を設定する。そして、第２画像を表示する領域を第３表示領域に設定する。実施例１では、所定の情報表示は、ユーザ操作を支援するグラフィカルユーザインタフェース（ＧＵＩ）の表示である。
【００１６】
実施例１では、表示制御部１０１は、図２に示すように、画面内に４つの表示領域１０３〜１０６を設定する。表示領域１０３が入力画像（第１画像）を表示する第１表示領域である。表示領域１０４〜１０６に画質情報画像が表示される。画質情報画像としては、図３に示すように、露出確認用の画像（輝度分布を示すゼブラ表示）、波形モニタ、フォーカス確認用の画像（合焦位置を示すピーキング表示）が表示される。画質情報画像にはここで示したもの以外にも、ベクトルスコープやヒストグラムを表示することもできる。どの表示領域にどの画質情報画像を表示するかの選択指示は、操作部１０３を介してユーザが設定することができる。図３は、表示領域１０４に露出確認用の画像、表示領域１０５に波形モニタ、表示領域１０６にフォーカス確認用の画像を表示する例である。どの画質情報画像をどの表示領域に割り当てるかは、予め所定の初期状態が設定されていても良いし、ユーザが好みの設定を入力できるようにしても良い。
【００１７】
操作部１０３は、画質情報画像に表示されている画質情報に関してパラメータ設定等のユーザ操作入力を受け付ける。パラメータ設定としては、例えば、露出を確認するためのゼブラ表示であれば、ゼブラ表示を重畳する輝度レベルの閾値や、ゼブラ模様の種類等の設定を入力することができる。また、フォーカス確認用のピーキング表示では、ピーク表示に用いる画素の色や透明度の設定を入力することができる。ヒストグラム表示では、ヒストグラム表示する色（Ｒ，Ｇ，Ｂ）の設定を入力することができる。波形モニタ表示では、色情報も含めたトータルの波形を示すか、輝度のみの波形を示すかの設定を入力することができる。
【００１８】
操作部１０３は、パラメータ設定等の操作入力をどの画質情報に関して行うかの選択指示を受け付ける。ユーザは、表示中の画質情報画像のいずれかを操作対象として選択することができる。また、ユーザは、表示されていない画質情報も含めて、表示制御装置１が表示可能な全ての画質情報のうちから任意の画質情報を操作対象として選択することができるようにしても良い。
【００１９】
制御部１０２は、ユーザによりどの画質情報が操作対象として選択されたかに関する情報を操作部１０３から取得し、選択された画質情報に応じて、ユーザ操作を支援するためのＧＵＩを生成し、表示制御部１０１へ出力する。表示制御部１０１は、制御部１０２から取得したＧＵＩを所定の情報表示として情報表示領域１０７にＯＳＤ表示する。実施例１では、情報表示領域１０７は、表示領域１０６と重複する位置に固定的に表示されるも
のとする。これは、ＧＵＩを入力画像が表示される表示領域１０３から最も離れた位置に表示するためである。なお、ＧＵＩの表示位置は一例であり、この限りではない。また、制御部１０２は、どの位置にＧＵＩを表示するかの情報を表示制御部１０１に送信するようにしても良い。
【００２０】
表示制御部１０１は、操作対象として選択された画質情報を示す画質情報画像が表示される表示領域と、ＧＵＩが表示される情報表示領域１０７とが重複しているか判定する。重複していた場合、当該画質情報画像が表示される表示領域を、入力画像が表示される表示領域１０３とは異なる表示領域のうち、ＧＵＩが表示される情報表示領域１０７と重複しない表示領域に変更する。このようにして、表示制御部１０１は、ＧＵＩ表示がなされる情報表示領域の情報と、操作対象として選択された画質情報の画質情報画像が表示される表示領域の情報と、に基づき、画質情報画像を表示する表示領域を調整する。
【００２１】
例えば、図３のように画質情報画像が表示されている状態で、フォーカス確認が操作対象として選択された場合、図５（Ａ）のように、フォーカス確認用の画像が表示されている表示領域１０６とＧＵＩが表示される情報表示領域１０７とが重複する。この場合、表示制御部１０１は、フォーカス確認用の画像を表示させる表示領域を、入力画像を表示する表示領域１０３以外の表示領域のうち情報表示領域１０７と重複しない表示領域１０４又は表示領域１０５に変更する。
【００２２】
図５（Ｂ）は、フォーカス確認用の画像を表示させる表示領域を表示領域１０４に変更した場合の表示例を示す。図５（Ｂ）に示すように、操作対象の画質情報画像を表示している表示領域を太枠線で強調する等の表示制御を行っても良い。
図５（Ｂ）に示すように、実施例１の表示制御装置１によれば、操作対象として選択された画質情報を示す画質情報画像が、当該操作を支援するＧＵＩが表示される情報表示領域１０７と重複しない表示領域１０４に表示される。従って、ユーザが操作しようとしている画質情報がＧＵＩの下に隠れてしまうことを抑制できる。これにより、ユーザは、操作しようとしている画質情報を確認しながら効率良く操作入力を行うことができる。
【００２３】
図６は、操作対象として選択された画質情報が、現在表示中の画質情報とは異なるものであった場合の例である。例えば、図５（Ｂ）の表示状態において、ユーザが新たな操作対象の画質情報として、表示されていない画質情報であるヒストグラム表示を選択したとする。この場合、表示制御部１０１は、図６に示すように、情報表示領域１０７と重複しない表示領域１０４に、操作対象として選択されたヒストグラム表示を行う。表示領域１０４に表示されていたフォーカス確認用の画質情報画像は非表示となる。これにより、ユーザが操作しようとしている画質情報がＧＵＩの下に隠れてしまうことが抑制され、ユーザによる操作入力が効率良く行える。
【００２４】
上記の画質情報処理部１００、表示制御部１０１、制御部１０２、操作部１０３は、個別のハードウェアにより実施しても良いし、各機能部の機能を実現するプログラムをプロセッサ等のハードウェアが実行することにより実施しても良い。
【００２５】
また、画面の表示領域による分割数や、ＧＵＩ画像の表示位置は一例であり、これに限らない。ＧＵＩを表示する情報表示領域１０７が表示領域１０６と重複する位置である例を説明したが、情報表示領域１０７は別の表示領域と重複する位置でも良い。例えば、表示領域１０４に情報表示領域１０７を表示しても良い。その場合、操作対象の画質情報として図３の露出確認用の情報が選択されたとすると、表示制御部１０１は、露出確認用の画質情報画像を表示する表示領域を、情報表示領域１０７と重複しない表示領域に変更する。このとき、変更先の表示領域としては表示領域１０５と表示領域１０６が候補になる。この場合、表示制御部１０１は、操作対象の画質情報画像を表示させる表示領域を、入
力画像が表示される表示領域に隣接する表示領域とすると良い。上記の例では、露出確認用の画質情報画像の表示領域を表示領域１０５に変更すると良い。これにより、入力画像と画質情報画像とを比較観察し易くなる。
【００２６】
図４は、実施例１の制御を示すフローチャートである。
ステップＳ１００において、表示制御部１０１は、ユーザによる画質情報画像の表示指示に従い、初期状態の画質情報画像の表示を行う。初期状態の画質情報画像の表示は、図３に示すように表示領域１０３に入力画像、表示領域１０４に露出確認用の画像、表示領域１０５に波形モニタ、表示領域１０６にフォーカス確認用の画像をそれぞれ割り当てる。初期状態でどの画質情報画像を表示するかの情報は、制御部１０２から表示制御部１０１に送信される。また、どの画質情報画像を表示するかの情報は、制御部１０２から画質情報処理部１００にも送信される。
画質情報処理部１００は、制御部１０２から取得した、表示対象の画質情報画像の情報に基づき、表示対象の画質情報画像を生成し、表示制御部１０１へ出力する。ここでは、画質情報処理部１００は、露出確認用の画像の生成、波形モニタの画像の生成、フォーカス確認用の画像の生成の順に実行するものとする。なお、画質情報画像の生成処理の実行順序はこの限りではない。同時に並行して生成処理を行う構成でも良い。
表示制御部１０１は、制御部１０２から初期状態でどの画質情報画像をどの表示領域に表示させるかの情報を取得し、それに従って入力画像及び画質情報画像を図３のようにレイアウトした表示画像データを生成して出力する。
【００２７】
ステップＳ１０１において、制御部１０２は、操作部１０３を介して操作対象の画質情報画像を指示するユーザ操作を受け付ける。ここでは、フォーカス確認用の画像が操作対象として選択されたものとする。
ステップＳ１０２において、制御部１０２は、Ｓ１０１でユーザが操作対象として選択した画質情報画像が、Ｓ１０１の初期状態で画面に表示されているか否かを判定する。表示されている場合、ステップＳ１０３に進み、表示されていない場合、ステップＳ１０４に進む。図３の表示状態の例では、ユーザが操作対象の画質情報画像としてフォーカス確認用の画像、露出確認用の画像、及び波形モニタのいずれかを操作対象として選択した場合、Ｓ１０３に進む。ユーザがこれら以外の画質情報画像、例えばヒストグラムやゼブラ表示等を操作対象として選択した場合、Ｓ１０４に進む。
【００２８】
ステップＳ１０３において、表示制御部１０１は、Ｓ１０１でユーザが操作対象として選択した画質情報画像の表示領域と、ＧＵＩが表示される情報表示領域１０７と、が重複しているか否かを判定する。重複している場合、Ｓ１０４へ進み、重複していない場合、このフローチャートの処理を終了する。図３の表示状態の例では、ユーザが操作対象としてフォーカス確認用の画質情報画像を選択した場合、ＧＵＩが表示される情報表示領域１０７と、フォーカス確認用の画質情報画像が表示される表示領域１０６とが重複しているので、Ｓ１０４に進む。ユーザが操作対象として露出確認用の画像又は波形モニタを選択した場合、ＧＵＩが表示される情報表示領域１０７と選択された画質情報画像が表示される表示領域１０４又は１０５が重複しないので、処理は終了する。
【００２９】
ステップＳ１０４において、表示制御部１０１は、Ｓ１０１でユーザが操作対象として選択した画質情報画像の表示領域を、ＧＵＩが表示される情報表示領域１０７と重複しない表示領域に変更する。例えば、図３の表示状態で、ユーザが操作対象としてフォーカス確認用の画質情報画像を選択した場合、図５（Ｂ）に示すように、フォーカス確認用の画質情報画像を表示させる表示領域を表示領域１０４に変更する。変更前に表示領域１０４に表示されていた露出確認用の画質情報画像は、変更前にフォーカス確認用の画質情報画像が表示されていた表示領域１０６に移動する。
【００３０】
また、ユーザが操作対象として、画面に表示されていない画質情報画像を選択した場合、選択された画質情報画像を、ＧＵＩが表示される情報表示領域１０７と重複しない表示領域に表示する。例えば、図３の表示状態で、ユーザが操作対象としてヒストグラムを選択した場合、図６に示すように、ヒストグラムを表示領域１０４に表示させる。変更前に表示領域１０４に表示されていた露出確認用の画質情報画像は、非表示とする。
【００３１】
以上のフローチャートの制御によれば、ユーザが操作対象として選択した画質情報画像は、当該操作のためのＧＵＩが表示される情報表示領域１０７と重複しない表示領域に表示される。従って、操作対象の画質情報画像がＧＵＩの下に隠れてしまうことが抑制される。よって、入力画像と画質情報画像とを１画面内で分割表示する表示制御において、ユーザが画質情報画像を確認しながら画質情報画像に関わる操作を入力しやすくすることができる。
【００３２】
本発明は上記の実施例に限定されるものではなく、発明の範囲内で種々の変更をすることができる。例えば、実施例１では画面を等しい大きさの表示領域によって４分割する例を示したが、分割数や各表示領域の大きさはこれに限らない。例えば、図７のように、５分割とし、右下の表示領域７０４及び７０５の大きさを他の表示領域７０１，７０２，７０３の大きさより小さくする例である。図７の表示状態で、入力画像は左上の表示領域７０１に表示され、ＧＵＩが表示される情報表示領域７０６は、表示領域７０５と重複する。この表示状態で、ユーザが操作対象として表示領域７０４に表示されている画質情報画像（３）を選択したとする。この場合、選択された画質情報画像（３）の表示領域７０４は、ＧＵＩの情報表示領域７０６と重複しないが、入力画像の表示領域７０１と隣接していない。そこで、操作対象の画質情報画像の表示領域を、入力画像の表示領域７０１と隣接する表示領域７０２又は７０３に変更するようにしても良い。これにより、操作対象の画質情報画像と入力画像とを比較観察し易くなる。
【００３３】
上記各実施例は、記憶装置又はメモリに記憶又は記録又は格納又は保存されたプログラムをコンピュータ又はプロセッサ又はＣＰＵが実行することによって各機能ブロックの機能又は処理を実現する態様で実施することができる。プロセッサとメモリとを備え、前記メモリにはコンピュータが実行することによって上記各実施例で説明した各機能ブロックの機能が実現されるプログラムが記憶されている構成も、本発明の範囲に含まれる。
【００３４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００３５】
１：表示制御装置、２：表示装置、１００：画質機能処理部、１０１：表示制御部、１０２：制御部
【図１】
2018010177.tif 000003
【図２】
2018010177.tif 000004
【図３】
2018010177.tif 000005
【図４】
2018010177.tif 000006
【図５】
2018010177.tif 000007
【図６】
2018010177.tif 000008
【図７】
2018010177.tif 000009